(57)【要約】  【課題】ＩＰ電話機の誤設定を防止して、ＩＰ電話機の設定作業を容易にする。  【解決手段】ＩＰ電話機１−１〜１−ｎは、自ＩＰ電話機１−１〜１−ｎに記憶されている、自ＩＰ電話機１−１〜１−ｎが利用するＩＰ電話サービス（ＳＩＰサーバ３Ａ、３Ｂ）の制限情報を、ＩＰ電話設定装置２に送信するとともに、ＩＰ電話設定装置２より受信した設定情報に従って自ＩＰ電話機１−１〜１−ｎの設定登録処理を実施する。ＩＰ電話設定装置２は、ＩＰ電話機１−１〜１−ｎから制限情報を取得し表示して、操作者よりＩＰ電話機１−１〜１−ｎに対する設定情報を受け付ける。そして、操作者から受け付けたＩＰ電話機１−１〜１−ｎに対する設定情報を、該当するＩＰ電話機１−１〜１−ｎに送信する。【選択図】図１
2020145597.tif 000002
【特許請求の範囲】
【請求項１】
少なくとも１台のＩＰ電話機と、前記ＩＰ電話機の設定を行うＩＰ電話設定装置と、を備えるＩＰ電話システムであって、
前記ＩＰ電話機は、
自ＩＰ電話機が利用するＩＰ電話サービスの制限情報を記憶する制限情報記憶手段と、
前記制限情報記憶手段に記憶されている前記制限情報を前記ＩＰ電話設定装置に送信する制限情報送信手段と、
前記ＩＰ電話設定装置より受信した設定情報に従って自ＩＰ電話機の設定処理を行う設定手段と、を有し、
前記ＩＰ電話設定装置は、
前記ＩＰ電話機から前記制限情報を取得する制限情報取得手段と、
前記制限情報取得手段によって前記ＩＰ電話機から取得した前記制限情報を表示して、操作者より当該ＩＰ電話機に対する前記設定情報を受け付ける設定情報受付手段と、
前記設定情報受付手段によって前記操作者から受け付けた前記ＩＰ電話機に対する前記設定情報を、当該ＩＰ電話機に送信する設定情報送信手段と、を有する
ことを特徴とするＩＰ電話システム。
【請求項２】
請求項１に記載のＩＰ電話システムであって、
前記ＩＰ電話設定装置は、
前記設定情報受付手段によって前記操作者から受け付けた前記ＩＰ電話機に対する前記設定情報が、当該ＩＰ電話機の前記制限情報に違反しているか否かを判断し、違反している場合に、前記設定情報の制限違反を警告する制限違反監視手段をさらに有する
ことを特徴とするＩＰ電話システム。
【請求項３】
請求項１または２に記載のＩＰ電話システムであって、
前記設定情報受付手段は、
複数の前記ＩＰ電話機の前記設定情報を前記ＩＰ電話機毎に受け付け、
前記ＩＰ電話設定装置は、
前記設定情報受付手段によって前記操作者から受け付けた前記ＩＰ電話機に対する前記設定情報が、当該ＩＰ電話機と同じＩＰ電話サービスを利用する他の前記ＩＰ電話機に対する前記設定情報と重複していないか否かを判断し、重複している場合に、前記設定情報の重複設定を警告する重複設定監視手段をさらに有する
ことを特徴とするＩＰ電話システム。
【請求項４】
請求項１ないし３のいずれか１項に記載のＩＰ電話システムであって、
前記ＩＰ電話機は、
自ＩＰ電話機に設定されている前記設定情報を記憶する設定情報記憶手段と、
前記設定情報記憶手段に記憶されている前記設定情報を前記ＩＰ電話設定装置に送信する設定情報送信手段と、をさらに有し、
前記ＩＰ電話設定装置は、
前記ＩＰ電話機から前記設定情報を取得する設定情報取得手段をさらに有し、
前記設定情報受付手段は、
前記設定情報取得手段によって前記ＩＰ電話機から取得した前記設定情報を、前記制限情報取得手段によって当該ＩＰ電話機から取得した前記制限情報とともに表示して、操作者より当該ＩＰ電話機に対する更新された前記設定情報を受け付ける
ことを特徴とするＩＰ電話システム。
【請求項５】
ＩＰ電話機の設定を行うＩＰ電話設定装置であって、
前記ＩＰ電話機から当該ＩＰ電話機が利用するＩＰ電話サービスの制限情報を取得する制限情報取得手段と、
前記制限情報取得手段によって前記ＩＰ電話機から取得した前記制限情報を表示して、操作者より当該ＩＰ電話機に対する前記設定情報を受け付ける設定情報受付手段と、
前記設定情報受付手段によって前記操作者から受け付けた前記ＩＰ電話機に対する前記設定情報を、当該ＩＰ電話機に送信して、当該ＩＰ電話機を設定する設定情報送信手段と、を備える
ことを特徴とするＩＰ電話設定装置。
【請求項６】
コンピュータで読み取り可能なプログラムであって、
前記プログラムは、前記コンピュータを、ＩＰ電話機の設定を行うＩＰ電話設定装置として機能させ、
前記ＩＰ電話設定装置は、
前記ＩＰ電話機から当該ＩＰ電話機が利用するＩＰ電話サービスの制限情報を取得する制限情報取得手段と、
前記制限情報取得手段によって前記ＩＰ電話機から取得した前記制限情報を表示して、操作者より当該ＩＰ電話機に対する前記設定情報を受け付ける設定情報受付手段と、
前記設定情報受付手段によって前記操作者から受け付けた前記ＩＰ電話機に対する前記設定情報を、当該ＩＰ電話機に送信して、当該ＩＰ電話機を設定する設定情報送信手段と、を備える
ことを特徴とするコンピュータで読み取り可能なプログラム。
【請求項７】
ＩＰ電話設定装置によりＩＰ電話機を設定するＩＰ電話機の設定方法であって、
前記ＩＰ電話機は、
自ＩＰ電話機に記憶されている、自ＩＰ電話機が利用するＩＰ電話サービスの制限情報を、前記ＩＰ電話設定装置に送信し、
前記ＩＰ電話設定装置より受信した設定情報に従って自ＩＰ電話機の設定処理を行い、
前記ＩＰ電話設定装置は、
前記ＩＰ電話機から前記制限情報を取得し、
前記ＩＰ電話機から取得した前記制限情報を表示して、操作者より当該ＩＰ電話機に対する前記設定情報を受け付け、
前記操作者から受け付けた前記ＩＰ電話機に対する前記設定情報を、当該ＩＰ電話機に送信する
ことを特徴とするＩＰ電話機の設定方法。
【発明の詳細な説明】
【技術分野】
【０００１】
本発明は、ＩＰ電話機の設定技術に関する。
【背景技術】
【０００２】
特許文献１には、初期設定機能を有するＩＰ電話機が開示されている。このＩＰ電話機は、起動時に、ダイヤルを用いて、自ＩＰ電話機のＩＰアドレス、電話番号、ＳＩＰサーバアドレスを直接入力する手段を有している。これにより、起動時に、ＳＩＰサーバへ自ＩＰ電話機のＩＰアドレス、電話番号を登録して、自ＩＰ電話機を利用可能な状態とすることができる。
【先行技術文献】
【特許文献】
【０００３】
【特許文献１】特開２００９−２０６５４１号公報
【発明の概要】
【発明が解決しようとする課題】
【０００４】
ＩＰ電話機の設定は、利用するＩＰ電話サービス（ＳＩＰサーバ）によって、利用可能なＳＩＰドメイン名の文字数、文字種類、あるいは内線電話番号の桁数等の制限が異なることがある。このため、特許文献１に記載の技術において、異なるＩＰ電話サービスを利用する複数のＩＰ電話機に対して、利用するＩＰ電話サービスの違いを考慮することなく設定を行うと、制限違反により設定が拒否されて、設定のやり直し作業が必要となる場合がある。これを避けるためには、ＩＰ電話機毎に、取扱説明書等を参照して、利用するＩＰ電話サービスの制限を回避しつつ、ダイヤル入力により手動で設定しなければならず、作業が煩雑である。
【０００５】
本発明は、上記事情に鑑みてなされたものであり、本発明の目的は、ＩＰ電話機の誤設定を防止して、ＩＰ電話機の設定作業を容易にすることにある。
【課題を解決するための手段】
【０００６】
上記課題を解決するために、本発明において、ＩＰ電話設定装置は、設定対象のＩＰ電話機から、このＩＰ電話機が利用するＩＰ電話サービスの制限情報を取得し表示して、操作者から、このＩＰ電話機に対する設定情報を受け付ける。そして、受け付けた設定情報をこのＩＰ電話機に送信し設定する。ここで、操作者から受け付けた設定情報が制限情報に違反しているか否かを判断し、違反している場合に、設定情報の制限違反を警告するようにしてもよい。
【０００７】
例えば、本発明のＩＰ電話システムは、
少なくとも１台のＩＰ電話機と、前記ＩＰ電話機の設定を行うＩＰ電話設定装置と、を備えるＩＰ電話システムであって、
前記ＩＰ電話機は、
自ＩＰ電話機が利用するＩＰ電話サービスの制限情報を記憶する制限情報記憶手段と、
前記制限情報記憶手段に記憶されている前記制限情報を前記ＩＰ電話設定装置に送信する制限情報送信手段と、
前記ＩＰ電話設定装置より受信した設定情報に従って自ＩＰ電話機の設定処理を行う設定手段と、を有し、
前記ＩＰ電話設定装置は、
前記ＩＰ電話機から前記制限情報を取得する制限情報取得手段と、
前記制限情報取得手段によって前記ＩＰ電話機から取得した前記制限情報を表示して、操作者より当該ＩＰ電話機に対する前記設定情報を受け付ける設定情報受付手段と、
前記設定情報受付手段によって前記操作者から受け付けた前記ＩＰ電話機に対する前記設定情報を、当該ＩＰ電話機に送信する設定情報送信手段と、を有する。
【発明の効果】
【０００８】
本発明において、ＩＰ電話設定装置は、設定対象のＩＰ電話機からこのＩＰ電話機が利用するＩＰ電話サービスの制限情報を取得し表示するので、操作者は、このＩＰ電話機が利用するＩＰ電話サービスの制限情報を参照して、この制限情報を回避するように、このＩＰ電話機に対する設定情報をＩＰ電話設定装置に入力することができる。このため、異なるＩＰ電話サービスを利用する複数のＩＰ電話機に対して設定を行う場合でも、ＩＰ電話機の誤設定を防止して、ＩＰ電話機の設定作業を容易にすることができる。
【図面の簡単な説明】
【０００９】
【図１】図１は、本発明の一実施の形態に係るＩＰ電話システムの概略構成図である。
【図２】図２は、本発明の一実施の形態に係るＩＰ電話システムにおけるＩＰ電話設定処理の動作例を説明するためのシーケンス図である。
【図３】図３は、本発明の一実施の形態に係るＩＰ電話システムにおけるＩＰ電話設定処理の動作例を説明するためのシーケンス図であり、図２の続きである。
【図４】図４は、ＩＰ電話機１の概略機能構成図である。
【図５】図５は、制限情報記憶部１３の登録内容例を模式的に表した図である。
【図６】図６は、設定情報記憶部１４の登録内容例を模式的に表した図である。
【図７】図７は、ＩＰ電話機１の動作を説明するためのフロー図である。
【図８】図８は、ＩＰ電話設定装置２の概略機能構成図である。
【図９】図９は、制限情報記憶部２２の登録内容例を模式的に表した図である。
【図１０】図１０は、設定情報記憶部２３の登録内容例を模式的に表した図である。
【図１１】図１１は、ＩＰ電話設定装置２の動作を説明するためのフロー図である。
【図１２】図１２は、設定情報リスト画面の一例を示す図である。
【図１３】図１３は、設定情報受付画面の一例を示す図である。
【図１４】図１４は、重複設定警告の表示例を示す図である。
【図１５】図１５は、制限違反警告の表示例を示す図である。
【発明を実施するための形態】
【００１０】
以下に、本発明の一実施の形態について図面を参照して説明する。
【００１１】
図１は、本実施の形態に係るＩＰ電話システムの概略構成図である。
【００１２】
図示するように、本実施の形態に係るＩＰ電話システムは、ルータ等のＮＡＴ（Ｎｅｔｗｏｒｋ  Ａｄｄｒｅｓｓ  Ｔｒａｎｓｌａｔｉｏｎ）機器４を介してインターネット網５に接続された複数のＩＰ電話機１−１〜１−ｎ（以下、単にＩＰ電話機１とも呼ぶ）と、ＩＰ電話設定装置２と、を備えている。なお、図１では、ＩＰ電話設定装置２をＮＡＴ機器４の配下に設置しているが、ＩＰ電話設定装置２は、インターネット網５側に接続されていてもよい。
【００１３】
インターネット網５には、ＩＰ電話サービスを提供するプロバイダ毎に、ＳＩＰ（Ｓｅｓｓｉｏｎ  Ｉｎｉｔｉａｔｉｏｎ  Ｐｒｏｔｏｃｏｌ）サーバ３Ａ、３Ｂが接続されている。ＮＡＴ機器４には、ＩＰ電話機１が利用するＩＰ電話サービスを提供するプロバイダによってグローバルＩＰアドレスが割り当てられている。
【００１４】
ＩＰ電話機１は、ＩＰ電話設定装置２からＩＰ電話サービスを利用するための設定情報を受信して、この設定情報に従い、自ＩＰ電話機１を設定するとともに、自ＩＰ電話機１が利用するＳＩＰサーバ３Ａ、３Ｂに自ＩＰ電話機１を登録する。これにより、ＩＰ電話サービスが利用可能となる。また、ＩＰ電話機１は、自ＩＰ電話機１が利用するＩＰ電話サービスの制限情報を記憶しており、ＩＰ電話設定装置２からの要求に従い、自ＩＰ電話機１に記憶されている制限情報を送信する。
【００１５】
ＩＰ電話設定装置２は、ＩＰ電話機１毎に、ＩＰ電話機１から制限情報を取得して表示し、操作者からこのＩＰ電話機１に対する設定情報を受け付ける。そして、受け付けた設定情報をこのＩＰ電話機１に送信する。
【００１６】
図２および図３は、本発明の一実施の形態に係るＩＰ電話システムにおけるＩＰ電話設定処理の動作例を説明するためのシーケンス図である。
【００１７】
ＩＰ電話設定装置２は、操作者から情報取得操作を受け付けると（Ｓ１００）、ＮＡＴ機器４配下のすべてのＩＰ電話機１に設定情報要求を送信する（Ｓ１０１、Ｓ１０３）。これを受けて、各ＩＰ電話機１は、自ＩＰ電話機１に登録され、ＩＰ電話サービスの提供を受けるために必要なすべての設定項目の設定情報を含む設定情報応答を、ＩＰ電話設定装置２に送信する（Ｓ１０２、Ｓ１０４）。ここで、ＩＰ電話機１は、ＩＰ電話サービスの提供を受けるために必要なすべての設定項目のうち、未登録の設定項目があるならば、この設定項目の設定情報を、ヌルデータとして、設定情報応答に含める。
【００１８】
また、ＩＰ電話設定装置２は、ＮＡＴ機器４配下のすべてのＩＰ電話機１に制限情報要求を送信する（Ｓ１０５、Ｓ１０７）。これを受けて、各ＩＰ電話機１は、自ＩＰ電話機１に登録され、自ＩＰ電話機１が利用するＩＰ電話サービスの提供を受けるために必要なすべての設定項目の制限情報を含む制限情報応答を、ＩＰ電話設定装置２に送信する（Ｓ１０６、Ｓ１０８）。
【００１９】
つぎに、ＩＰ電話設定装置２は、各ＩＰ電話機１から受信した設定情報応答に含まれている設定情報がリスト形式で掲載された設定情報リスト画面を表示して、操作者により設定対象のＩＰ電話機１が指定されるのを待つ（Ｓ１０９）。ここで、操作者からＩＰ電話機１−１の指定操作を受け付けたものとする（Ｓ１１０）。これを受けて、ＩＰ電話設定装置２は、ＩＰ電話機１−１から受信した設定情報応答および制限情報応答に基づいて、設定項目毎に、ＩＰ電話機１−１の設定情報および制限情報を表示して、操作者から、このＩＰ電話サービスを利用するために必要なすべての設定項目について設定情報の新規登録あるいは更新登録を受け付けるための設定情報受付画面を表示する（Ｓ１１１）。
【００２０】
つぎに、ＩＰ電話設定装置２は、設定情報受付画面を介して操作者から、設定項目毎に設定情報を入力する設定入力操作を受け付けると（Ｓ１１２）、内線番号等の重複設定が禁止されている設定項目について、ＩＰ電話機１−１と同じＩＰ電話サービスを利用する他のＩＰ電話機１−２〜１−ｎの設定情報を参照し、入力された設定情報が他のＩＰ電話機１−２〜１−ｎの設定情報と重複しているか否かをチェックする（Ｓ１１３）。そして、重複設定されているならば、この重複設定されている設定項目を強調表示するなどして、操作者に重複設定警告を行うとともに、他のＩＰ電話機１−２〜１−ｎで使用されている設定情報あるいはこれらの設定情報を除外した設定情報の設定可能範囲を表示する（Ｓ１１４）。これにより、操作者は、重複設定を回避するように設定情報を入力し直すことができる。
【００２１】
また、ＩＰ電話設定装置２は、設定項目毎に、入力された設定情報がＩＰ電話機１−１の制限情報に違反しているか否かをチェックする（Ｓ１１５）。そして、制限情報に違反しているならば、この違反している設定項目を強調表示するなどして、操作者に制限違反警告を行う（Ｓ１１６）。これにより、操作者は、制限情報を確認して、この制限情報に違反している設定項目の設定情報を入力し直すことができる。
【００２２】
つぎに、ＩＰ電話設定装置２は、操作者から設定情報受付画面に入力した設定情報を確定する設定確定操作を受け付けると（Ｓ１１７）、設定情報受付画面に表示されているすべての設定項目の設定情報を含む設定登録要求を作成し、この設定登録要求をＩＰ電話機１−１に送信する（Ｓ１１８）。
【００２３】
これを受けて、ＩＰ電話機１−１は、ＩＰ電話設定装置２から受信した設定登録要求に含まれている設定情報を自ＩＰ電話機１−１に設定登録して（Ｓ１１９）、ＩＰ電話設定装置２に設定登録完了応答を送信する（Ｓ１２０）。ここで、ＩＰ電話機１−１は、ＳＩＰサーバ３Ａが提供するＩＰ電話サービスを利用するために必要なすべての設定項目の設定情報が設定登録されたものとする。それから、ＩＰ電話機１−１は、自ＩＰ電話機１−１に設定登録された設定情報に基づいて、ＮＡＴ機器４を介してＳＩＰサーバ３Ａに、ＲＥＧＩＳＴＥＲメッセージを送信する（Ｓ１２１、Ｓ１２２）。これを受けて、ＳＩＰサーバ３Ａは、ＲＥＧＩＳＴＥＲメッセージの送信元であるＩＰ電話機１−１の登録処理を行って、ＮＡＴ機器４を介してこのＩＰ電話機１−１に、２００ＯＫメッセージを返信する（Ｓ１２３、Ｓ１２４）。これにより、ＩＰ電話機１−１は、ＳＩＰサーバ３Ａが提供するＩＰ電話サービスの利用が可能となり、発着信を待つ待機状態に移行する。
【００２４】
つぎに、本実施の形態に係るＩＰ電話システムを構成するＩＰ電話機１およびＩＰ電話設定装置２について説明する。
【００２５】
まず、ＩＰ電話機１の詳細を説明する。
【００２６】
図４は、ＩＰ電話機１の概略機能構成図である。
【００２７】
図示するように、ＩＰ電話機１は、ネットワークインターフェース部１０と、マンマシンインターフェース部１１と、ＩＰ電話機能部１２と、制限情報記憶部１３と、設定情報記憶部１４と、設定・制限情報要求処理部１５と、設定登録要求処理部１６と、主制御部１７と、を備えている。
【００２８】
ネットワークインターフェース部１０は、ＮＡＴ機器４を介して他のＩＰ電話機１、ＩＰ電話設定装置２、およびインターネット網５に接続するためのインターフェースである。
【００２９】
マンマシンインターフェース部１１は、通話を行うためのインターフェースであり、マイクと、スピーカと、ダイヤルキー、ファンクションキー等の操作ボタンと、ＬＣＤ（Ｌｉｑｕｉｄ  Ｃｒｙｓｔａｌ  Ｄｉｓｐｌａｙ）等の表示装置と、を有している。
【００３０】
ＩＰ電話機能部１２は、ＩＰ電話を実現するために必要な処理を実施する。具体的には、ＩＰ電話機能部１２に設定登録されている設定情報に従い、自ＩＰ電話機１が利用するＩＰ電話サービスを提供するＳＩＰサーバ３Ａ、３Ｂに、自ＩＰ電話機１を登録して、ＩＰ電話サービスを利用可能とする。また、ＩＰ電話機能部１２は、ＳＩＰに従い呼制御手順を実施して、通話相手とのセッションの確立および解放を行うとともに、ＲＴＰ（Ｒｅａｌｔｉｍｅ  Ｔｒａｎｓｐｏｒｔ  Ｐｒｏｔｏｃｏｌ）に従い、確立中のセッションを介した通話相手との通話を行う。
【００３１】
制限情報記憶部１３には、自ＩＰ電話機１が利用するＩＰ電話サービスの制限情報が設定項目毎に記憶されている。
【００３２】
図５は、制限情報記憶部１３の登録内容例を模式的に表した図である。
【００３３】
図示するように、制限情報記憶部１３には、ＩＰ電話サービスを利用するための設定情報の設定項目毎に、設定情報に課せられる制限情報のレコード１３０が記憶されている。制限情報のレコード１３０は、設定項目を登録するフィールド１３１と、設定情報の設定可能な範囲を登録するフィールド１３２と、設定情報に許容される文字種を登録するフィールド１３３と、を有する。ここで、設定項目「ＳＩＰドメイン名」、「内線電話番号」等の制限情報は、利用するＩＰ電話サービス（自ＩＰ電話機１の登録先のＳＩＰサーバ３Ａ、３Ｂ）によって異なる場合がある。
【００３４】
設定情報記憶部１４には、自ＩＰ電話機１が利用するＩＰ電話サービスの設定情報が設定項目毎に記憶されている。
【００３５】
図６は、設定報記憶部１４の登録内容例を模式的に表した図である。
【００３６】
図示するように、設定情報記憶部１４には、ＩＰ電話サービスを利用するための設定情報の設定項目毎に、設定情報のレコード１４０が記憶されている。設定情報のレコード１４０は、設定項目を登録するフィールド１４１と、設定情報を登録するフィールド１４２と、を有する。ここで、設定項目「ＳＩＰサーバアドレス」のレコード１４０には、デフォルトで設定情報がフィールド１４２に登録されていてもよい。また、設定項目「ＩＰアドレス」、「サブネットマスク」、「デフォルトゲートウェイ」のレコード１４０には、ＩＰ電話機１がＤＨＣＰ（Ｄｙｎａｍｉｃ  Ｈｏｓｔ  Ｃｏｎｆｉｇｒａｔｉｏｎ  Ｐｒｏｔｏｃｏｌ）サーバ（例えばＮＡＴ機器４）から取得した設定情報がフィールド１４２に登録されてもよい。
【００３７】
設定・制限情報要求処理部１５は、ネットワークインターフェース部１０を介してＩＰ電話設定装置２から受信した設定情報要求に従い、主制御部１７と連携して、設定情報記憶部１４に記憶されているすべての設定項目の設定情報（未登録の設定項目についてはヌルデータ）を、ＩＰ電話設定装置２に送信する。
【００３８】
また、設定・制限情報要求処理部１５は、ネットワークインターフェース部１０を介してＩＰ電話設定装置２から受信した制限情報要求に従い、主制御部１７と連携して、制限情報記憶部１３に記憶されているすべての設定項目の制限情報をＩＰ電話設定装置２に送信する。
【００３９】
設定情報登録要求処理部１６は、ネットワークインターフェース部１０を介してＩＰ電話設定装置２から受信した設定登録要求に従い、主制御部１７と連携して、設定登録要求に含まれている設定情報を設定情報記憶部１４に記憶するとともに、この設定情報をＩＰ電話機能部１２に設定登録する。これを受けて、ＩＰ電話機能部１２は、設定登録された設定情報に従い、自ＩＰ電話機１が利用するＩＰ電話サービスを提供するＳＩＰサーバ３Ａ、３Ｂに自ＩＰ電話機１を登録する。
【００４０】
主制御部１７は、ＩＰ電話機１を構成する各部１０〜１６を統括的に制御する。
【００４１】
図７は、ＩＰ電話機１の動作を説明するためのフロー図である。
【００４２】
なお、ＩＰ電話機１の呼制御処理および通話処理は、既存のＩＰ電話機と同じであるので、これらの処理に関する動作の説明は省略している。
【００４３】
設定・制限情報要求処理部１５は、ネットワークインターフェース部１０を介してＩＰ電話設定装置２から設定情報要求を受信すると（Ｓ２００でＹＥＳ）、主制御部１７に設定情報の取得を依頼する。これを受けて、主制御部１７は、設定情報記憶部１４から設定情報のレコード１４０をすべて読み出して、設定・制限情報要求処理部１５に渡す。そして、設定・制限情報要求処理部１５は、ネットワークインターフェース部１０を介してＩＰ電話設定装置２に、設定情報記憶部１４から読み出した設定情報のレコード１４０を含む設定情報応答を送信する（Ｓ２０１）。
【００４４】
また、設定、・制限情報要求処理部１５は、ネットワークインターフェース部１０を介してＩＰ電話設定装置２から制限情報要求を受信すると（Ｓ２０２でＹＥＳ）、主制御部１７に制限情報の取得を依頼する。これを受けて、主制御部１７は、制限情報記憶部１３から制限情報のレコード１３０をすべて読み出して、設定・制限情報要求処理部１５に渡す。そして、設定・制限情報要求処理部１５は、ネットワークインターフェース部１０を介してＩＰ電話設定装置２に、制限定情報記憶部１３から読み出した制限情報のレコード１３０を含む制限情報応答を送信する（Ｓ２０３）。
【００４５】
また、設定登録要求処理部１６は、ネットワークインターフェース部１０を介してＩＰ電話設定装置２から設定登録要求を受信すると（Ｓ２０４でＹＥＳ）、この設定登録要求を主制御部１７に渡す。これを受けて、主制御部１７は、設定登録要求に含まれている各設定項目の設定情報を設定情報記憶部１４に記憶する（Ｓ２０５）。具体的には、設定登録要求に含まれている設定項目の設定情報毎に、フィールド１４１に該当する設定項目が登録されている設定情報のレコード１４０を検索し、検索したレコード１４０のフィールド１４２に該当する設定項目の設定情報を登録する。
【００４６】
それから、主制御部１７は、設定登録要求に含まれている各設定項目の設定情報をＩＰ電話機能部１２に設定登録し（Ｓ２０６）、ネットワークインターフェース部１０を介してＩＰ電話設定装置２に、設定登録完了応答を送信する（Ｓ２０７）。
【００４７】
つぎに、ＩＰ電話機能部１２は、ＩＰ電話サービスの利用に必要な各設定項目の設定情報が設定登録されると、これらの設定情報に基づいて、自ＩＰ電話機１が利用するＩＰ電話サービスを提供するＳＩＰサーバ３Ａ、３Ｂに自ＩＰ電話機１を登録する（Ｓ２０８）。具体的には、ＩＰ電話機１は、自ＩＰ電話機１に設定登録された設定情報に基づいて、ＮＡＴ機器４を介してＳＩＰサーバ３Ａ、３Ｂに、ＲＥＧＩＳＴＥＲメッセージを送信すし、ＳＩＰサーバ３Ａ、３Ｂから２００ＯＫメッセージを受信することにより、ＩＰ電話機１は、登録先のＳＩＰサーバ３Ａ、３Ｂが提供するＩＰ電話サービスの利用が可能となり、発着信を待つ待機状態に移行する。
【００４８】
つぎに、ＩＰ電話設定装置２の詳細を説明する。
【００４９】
図８は、ＩＰ電話設定装置２の概略機能構成図である。
【００５０】
図示するように、ＩＰ電話設定装置２は、ネットワークインターフェース部２０と、マンマシンインターフェース部２１と、制限情報記憶部２２と、設定情報記憶部２３と、設定・制限情報要求部２４と、設定情報受付部２５と、制限違反監視部２６と、重複設定監視部２７と、設定登録要求部２８と、主制御部２９と、を備えている。
【００５１】
ネットワークインターフェース部２０は、ＮＡＴ機器４を介してＩＰ電話機１に接続するためのインターフェースである。
【００５２】
マンマシンインターフェース部２１は、操作者に情報を表示したり、操作者から情報を受け付けたりするためのインターフェースであり、ＬＣＤ等の表示装置と、キーボード、マウス、タッチパネル等の入力装置と、を有している。
【００５３】
制限情報記憶部２２には、ＩＰ電話機１毎に、ＩＰ電話機１が利用するＩＰ電話サービスの制限情報が設定項目毎に記憶されている。
【００５４】
図９は、制限情報記憶部２２の登録内容例を模式的に表した図である。
【００５５】
図示するように、制限情報記憶部２２には、ＩＰ電話機１毎に、制限情報のテーブル２２０が記憶されている。制限情報のテーブル２２０は、該当するＩＰ電話機１がＩＰ電話サービスを利用するための設定情報の設定項目毎に、設定情報に課せられる制限情報のレコード２２１が記憶されている。制限情報のレコード２２１は、設定項目を登録するフィールド２２２と、設定情報の設定可能な範囲を登録するフィールド２２３と、設定情報に許容される文字種を登録するフィールド２２４と、を有する。
【００５６】
設定情報記憶部２３には、ＩＰ電話機１毎に、ＩＰ電話機１が利用するＩＰ電話サービスの設定情報が設定項目毎に記憶されている。
【００５７】
図１０は、設定情報記憶部２３の登録内容例を模式的に表した図である。
【００５８】
図示するように、設定情報記憶部２３には、ＩＰ電話機１毎に、設定情報のテーブル２３０が記憶されている。設定情報のテーブル２３０は、該当するＩＰ電話機１がＩＰ電話サービスを利用するための設定情報の設定項目毎に、設定情報のレコード２３１が記憶されている。設定情報のレコード２３１は、設定項目を登録するフィールド２３２と、設定情報を登録するフィールド２３３と、を有する。
【００５９】
設定・制限情報要求部２４は、主制御部２９の指示に従い、ネットワークインターフェース部２０を介してＩＰ電話機１に、設定情報要求および制限情報要求を送信する。
【００６０】
設定情報受付部２５は、マンマシンインターフェース部２１に、設定情報記憶部２３に記憶されているＮＡＴ機器４配下の各ＩＰ電話機１の設定情報がリスト形式で掲載された設定情報リスト画面を表示して、操作者から設定対象のＩＰ電話機１の指定を受け付ける。そして、設定情報記憶部２３に記憶されている設定対象のＩＰ電話機１の設定情報および制限情報記憶部２２に記憶されている設定対象のＩＰ電話機１の制限情報に基づいて、マンマシンインターフェース部２１に設定情報受付画面を表示して、操作者から、設定対象のＩＰ電話機１がＩＰ電話サービスを利用するために必要なすべての設定項目について設定情報の新規登録あるいは更新登録を受け付ける。
【００６１】
制限違反監視部２６は、設定項目毎に、設定情報受付画面に入力された設定情報が制限情報記憶部２２に記憶されている設定対象のＩＰ電話機１の制限情報に違反しているか否かをチェックする。
【００６２】
重複設定監視部２７は、内線電話番号、ユーザＩＤ等の重複設定が禁止されている設定項目について、設定情報受付画面に入力された設定情報が設定情報記憶部２３に記憶されている設定対象のＩＰ電話機１と同じＩＰ電話サービスを利用する他のＩＰ電話機１の設定情報と重複しているか否かをチェックする。
【００６３】
設定登録要求部２８は、主制御部２９の指示に従い、ネットワークインターフェース部２０を介してＩＰ電話機１に、設定情報受付画面を介して操作者から受け付けた、このＩＰ電話機１がＩＰ電話サービスを利用するために必要な各設定項目の設定情報を含む設定登録要求を送信する。
【００６４】
主制御部２９は、ＩＰ電話設定装置２を構成する各部２０〜２８を統括的に制御する。
【００６５】
図１１は、ＩＰ電話設定装置２の動作を説明するためのフロー図である。
【００６６】
主制御部２９は、マンマシンインターフェース部２１を介して操作者から情報取得操作を受け付けると（Ｓ３００でＹＥＳ）、設定・制限情報要求部２４に情報取得を指示する。これを受けて、設定・制限情報要求部２４は、ネットワークインターフェース部２０を介してＮＡＴ機器４配下のすべてのＩＰ電話機１に設定情報要求を送信して、各ＩＰ電話機１から設定情報応答を受信する。そして、各ＩＰ電話機１の設定情報応答に含まれている設定情報を主制御部２９に渡す。主制御部２９は、ＩＰ電話機１毎に、設定・制限情報要求部２４から受け取った設定情報を、該当するＩＰ電話機１に対応付けられて設定情報記憶部２３に記憶されている設定情報のテーブル２３０に登録する（Ｓ３０１）。
【００６７】
また、設定・制限情報要求部２４は、ネットワークインターフェース部２０を介してＮＡＴ機器４配下のすべてのＩＰ電話機１に制限情報要求を送信して、各ＩＰ電話機１から制限情報応答を受信する。そして、各ＩＰ電話機１の制限情報応答に含まれている制限情報を主制御部２９に渡す。主制御部２９は、ＩＰ電話機１毎に、設定・制限情報要求部２４から受け取った制限情報を、該当するＩＰ電話機１に対応付けられて制限情報記憶部２２に記憶されている制限情報のテーブル２２０に登録する（Ｓ３０２）。
【００６８】
つぎに、主制御部２９は、設定情報記憶部２３に記憶されている各ＩＰ電話機１の設定情報のテーブル２３０を設定情報受付部２５に渡して、設定情報リスト画面の表示を指示する。これを受けて、設定情報受付部２５は、ＩＰ電話機１毎に、該当するＩＰ電話機１の設定情報のテーブル２３０に登録されている各設定項目の設定情報が掲載された設定情報リスト画面を生成して、マンマシンインターフェース部２１に表示する（Ｓ３０３）。そして、この設定情報リスト画面を介して操作者から設定対象のＩＰ電話機１の指定を待つ（Ｓ３０４）。
【００６９】
図１２は、設定情報リスト画面の一例を示す図である。
【００７０】
図示するように、設定情報リスト画面には、ＮＡＴ機器４配下のＩＰ電話機１毎に設定情報表示欄２５０がリスト形式で表示されている。設定情報表示欄２５０は、該当するＩＰ電話機１の識別情報である電話機ＩＤの表示欄２５１と、ＩＰアドレスの表示欄２５２と、サブネットマスクの表示欄２５３と、デフォルトゲートウェイの表示欄２５４と、ＳＩＰサーバアドレスの表示欄２５５と、ＳＩＰドメイン名の表示欄２５６と、ユーザＩＤの表示欄２５７と、パスワードの表示欄２５８と、外線電話番号の表示欄２５９と、内線電話番号の表示欄２６０と、を含む。操作者は、設定情報リスト画面から所望の設定表示欄２５０を選択することにより、設定対象のＩＰ電話機１を指定することができる。
【００７１】
つぎに、設定情報受付部２５は、設定情報リスト画面を介して操作者から設定対象のＩＰ電話機１の指定を受け付けると（Ｓ３０４でＹＥＳ）、主制御部２９に、設定対象のＩＰ電話機１の制限情報を要求する。これを受けて、主制御部２９は、設定対象のＩＰ電話機１に対応付けられて制限情報記憶部２２に記憶されている制限情報のテーブル２２０を設定情報受付部２５に渡す。そして、設定情報受付部２５は、設定項目毎に、設定対象のＩＰ電話機１の設定情報のテーブル２３０に登録されている設定情報および制限情報のテーブル２２０に登録されている制限情報が掲載された設定情報受付画面を生成して、マンマシンインターフェース部２１に表示する（Ｓ３０５）。そして、この設定情報受付画面を介して操作者から、いずれかの設定項目の設定情報の入力（新規あるいは更新）を待つ（Ｓ３０６）。
【００７２】
図１３は、設定情報受付画面の一例を示す図である。
【００７３】
図示するように、設定情報受付画面は、設定項目毎に設けられた設定情報入力・制限情報表示欄２７０と、確定ボタン２７５と、を有する。設定情報入力・制限情報表示欄２７０は、設定項目の表示欄２７１と、設定情報の表示兼入力欄２７２と、制限情報である設定情報の設定可能範囲の表示欄２７３と、制限情報である設定情報の許容文字種の表示欄２７４と、を有する。ここで、設定対象のＩＰ電話機１の設定情報のテーブル２３０に設定情報が登録されていない設定項目の表示兼入力欄２７２は、空欄となる。また、確定ボタン２７５は、設定情報受付画面に表示されている各設定項目の表示兼入力欄２７２に表示されている設定情報を設定対象のＩＰ電話機１に設定登録する設定確定操作を受け付けるためのボタンである。
【００７４】
つぎに、設定情報受付部２５は、設定情報受付画面のいずれかの設定項目の表示兼入力欄２７２に設定情報が入力されると（Ｓ３０６でＹＥＳ）、この入力された設定項目の設定情報を、重複設定監視部２７に渡す。これを受けて、重複設定監視部２７は、この設定項目が、内線電話番号、ユーザＩＤ等の重複設定が禁止されている重複設定禁止項目であるか否かを判断する（Ｓ３０７）。そして、重複設定禁止項目であるならば（Ｓ３０７でＹＥＳ）、この設定項目について、設定対象のＩＰ電話機１と同じＩＰ電話サービス（同じＳＩＰサーバアドレス）を利用する他のＩＰ電話機１の設定情報を設定情報受付部２５から取得して、設定対象のＩＰ電話機１の設定情報が他のいずれかのＩＰ電話機１の設定情報と重複しているか否かをチェックする（Ｓ３０８）。そして、重複設定されているならば（Ｓ３０９でＹＥＳ）、設定対象のＩＰ電話機１について、入力された設定項目の設定情報が他のＩＰ電話機１と重複している旨の重複設定警告を表示して、操作者に設定情報の変更を促す。この際、重複設定禁止項目と判断された設定項目が内線電話番号等の所定の設定項目ならば、他のＩＰ電話機１の設定情報を表示する、設定可能範囲内において他のＩＰ電話機１に使用されていない設定情報を表示する等して、操作者による設定情報変更を支援する（Ｓ３１０）。
【００７５】
図１４は、重複設定警告の表示例を示す図である。
【００７６】
この例では、設定情報受付画面において、設定項目「内線電話番号」の表示兼入力欄２７２に入力された設定情報（内線電話番号）が重複設定されており、この表示兼入力欄２７２を強調表示するとともに、他のＩＰ電話機１に使用されていない内線電話番号（使用可能範囲）および重複設定警告のメッセージを、吹き出し枠２７７に表示している。
【００７７】
また、設定情報受付部２５は、入力された設定項目の設定情報を、設定情報受付画面に表示されているこの設定項目の制限情報とともに、制限違反監視部２６に渡す。これを受けて、制限違反監視部２６は、入力された設定項目の設定情報がこの設定項目の制限情報に違反しているか否かをチェックする（Ｓ３１１）。そして、制限違反しているならば（Ｓ３１２でＹＥＳ）、設定対象のＩＰ電話機１について、入力された設定項目の設定情報が制限情報に違反している旨の制限違反警告を表示して、操作者に設定情報の変更を促す（Ｓ３１３）。
【００７８】
図１５は、制限違反警告の表示例を示す図である。
【００７９】
この例では、設定情報受付画面において、設定項目「ユーザＩＤ」の表示兼入力欄２７２に入力された設定情報（ユーザＩＤ）が制限情報に違反しており、この表示兼入力欄２７２を強調表示するとともに、制限違反警告のメッセージを吹き出し枠２７８に表示している。
【００８０】
つぎに、設定情報受付部２５は、設定情報受付画面の確定ボタン２７５により、操作者から設定確定操作を受け付けると（Ｓ３１４でＹＥＳ）、設定情報受付画面の設定情報入力・制限情報表示欄２７０毎に、表示欄２７１に表示されている設定項目および表示兼入力欄２７２に表示されている設定情報を、設定対象のＩＰ電話機１の電話機ＩＤとともに、主制御部２９に渡す。これを受けて、主制御２９は、各設定情報入力・制限情報表示欄２７０の設定項目および設定情報を、設定対象のＩＰ電話機１の電話機ＩＤとともに、設定登録要求部２８に渡して、設定対象のＩＰ電話機１の設定登録を指示する。そして、設定登録要求部２８は、ネットワークインターフェース部２０を介して設定対象のＩＰ電話機１に、各設定項目の設定情報を含む設定登録要求を送信する（Ｓ３１５）。
【００８１】
以上、本発明の一実施の形態について説明した。
【００８２】
本実施の形態において、ＩＰ電話設定装置２は、設定対象のＩＰ電話機１からこのＩＰ電話機１が利用するＩＰ電話サービスの制限情報を取得し表示するので、操作者は、このＩＰ電話機１が利用するＩＰ電話サービスの制限情報を参照して、この制限情報を回避するように、このＩＰ電話機１に対する設定情報をＩＰ電話設定装置２に入力することができる。このため、異なるＩＰ電話サービスを利用する複数のＩＰ電話機１に対して設定を行う場合でも、ＩＰ電話機１の誤設定を防止して、ＩＰ電話機１の設定作業を容易にすることができる。
【００８３】
また、本実施の形態において、ＩＰ電話設定装置２は、操作者から受け付けた設定情報が、設定対象のＩＰ電話機１の制限情報に違反しているか否かを判断し、違反している場合に、設定情報の制限違反警告を行うので、ＩＰ電話機１の誤設定をさらに効率よく防止することができる。
【００８４】
また、本実施の形態において、ＩＰ電話設定装置２は、すべてのＩＰ電話機１から設定情報を取得し、所定の設定項目（重複設定禁止項目）について、操作者から受け付けた設定情報が、設定対象のＩＰ電話機１と同じＩＰ電話サービスを利用する他のＩＰ電話機１に対する設定情報と重複していないか否かを判断し、重複している場合に、設定情報の重複設定警告を行うので、ＩＰ電話機１の誤設定をさらに効率よく防止することができる。
【００８５】
また、本実施の形態において、ＩＰ電話機１は、ＩＰ電話設定装置２からの設定情報要求に従い、自ＩＰ電話機１に設定登録されている設定情報を含む設定情報応答をＩＰ電話設定装置２に送信する。そして、ＩＰ電話設定装置２は、設定対象のＩＰ電話機から取得した設定情報を、このＩＰ電話機１の制限情報とともに表示するので、操作者は、設定対象のＩＰ電話機１に設定登録されている現在の設定情報を確認しながら新たな設定情報を設定することができる。これにより、ＩＰ電話機１の設定の作業性をさらに向上させることができる。
【００８６】
なお、本発明は上記の実施の形態に限定されるものではなく、その要旨の範囲内で数々の変形が可能である。
【００８７】
例えば、上記の実施の形態において、ＩＰ電話設定装置２は、操作者から情報取得操作を受け付けると、ＮＡＴ機器４配下のすべてのＩＰ電話機１に、設定情報要求および制限情報要求を送信して、各ＩＰ電話機１の設定情報および制限情報を取得している。しかし、本発明はこれに限定されない。操作者からＩＰ電話機１の指定を伴う情報取得操作を受け付けることにより、指定されたＩＰ電話機１に設定情報要求および制限情報要求を送信して、この指定されたＩＰ電話機１の設定情報および制限情報を取得してもよい。この場合、ＩＰ電話設定装置２において、設定情報リスト画面（図１２参照）は表示されず、直ちに、この指定されたＩＰ電話機１の設定情報受付画面（図１３参照）が表示される。また、重複設定禁止項目の重複設定のチェックが不可能となるので、重複設定監視部２７を省略してもよい。さらには、この場合、指定されたＩＰ電話機１に制限情報要求のみを送信して、この指定されたＩＰ電話機１の制限情報のみを取得し、各設定項目の表示兼入力欄２７２を空欄とした設定情報受付画面を表示するようにしてもかまわない。
【００８８】
また、上記の実施の形態において、図４に示すＩＰ電話機１および図８に示すＩＰ電話設定装置２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるか、ＤＳＰ（Ｄｉｇｉｔａｌ  Ｓｉｇｎａｌ  Ｐｒｏｃｅｓｓｏｒ）等の計算機によりソフトウエア的に実現される。あるいは、ＣＰＵと、メモリと、ハードディスク、フラッシュメモリ等の補助記憶装置と、ＮＩＣ（Ｎｅｔｗｏｒｋ  Ｉｎｔｅｒｆａｃｅ  Ｃａｒｄ）、無線アダプタ等の通信インターフェースと、を備えたＰＣ等の汎用コンピュータにおいて、ＣＰＵが所定のプログラムを補助記憶装置からメモリ上にロードして実行することにより実現される。
【符号の説明】
【００８９】
１、１−１〜１−ｎ：ＩＰ電話機    ２：ＩＰ電話設定装置
３Ａ、３Ｂ：ＳＩＰサーバ    ４：ＮＡＴ機器    ５：インターネット網
１０：ネットワークインターフェース部    １１：マンマシンインターフェース部
１２：ＩＰ電話機能部    １３：制限情報記憶部    １４：設定情報記憶部
１５：設定・制限情報要求処理部    １６：設定登録要求処理部
１７：主制御部    ２０：ネットワークインターフェース部
２１：マンマシンインターフェース部    ２２：制限情報記憶部
２３：設定情報記憶部    ２４：設定・制限情報要求部    ２５：設定情報受付部
２６：制限違反監視部    ２７：重複設定監視部    ２８：設定登録要求部
２９：主制御部
【図１】
2020145597.tif 000003
【図２】
2020145597.tif 000004
【図３】
2020145597.tif 000005
【図４】
2020145597.tif 000006
【図５】
2020145597.tif 000007
【図６】
2020145597.tif 000008
【図７】
2020145597.tif 000009
【図８】
2020145597.tif 000010
【図９】
2020145597.tif 000011
【図１０】
2020145597.tif 000012
【図１１】
2020145597.tif 000013
【図１２】
2020145597.tif 000014
【図１３】
2020145597.tif 000015
【図１４】
2020145597.tif 000016
【図１５】
2020145597.tif 000017
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
少なくとも１台のＩＰ電話機と、前記ＩＰ電話機の設定を行うＩＰ電話設定装置と、を備えるＩＰ電話システムであって、
前記ＩＰ電話機は、
自ＩＰ電話機が利用するＩＰ電話サービスの制限情報を記憶する制限情報記憶手段と、
前記制限情報記憶手段に記憶されている前記制限情報を前記ＩＰ電話設定装置に送信する制限情報送信手段と、
前記ＩＰ電話設定装置より受信した設定情報に従って自ＩＰ電話機の設定処理を行う設定手段と、を有し、
前記ＩＰ電話設定装置は、
前記ＩＰ電話機から前記制限情報を取得する制限情報取得手段と、
前記制限情報取得手段によって前記ＩＰ電話機から取得した前記制限情報を表示して、操作者より当該ＩＰ電話機に対する前記設定情報を受け付ける設定情報受付手段と、
前記設定情報受付手段によって前記操作者から受け付けた前記ＩＰ電話機に対する前記設定情報を、当該ＩＰ電話機に送信する設定情報送信手段と、を有する
ことを特徴とするＩＰ電話システム。
【請求項２】
請求項１に記載のＩＰ電話システムであって、
前記ＩＰ電話設定装置は、
前記設定情報受付手段によって前記操作者から受け付けた前記ＩＰ電話機に対する前記設定情報が、当該ＩＰ電話機の前記制限情報に違反しているか否かを判断し、違反している場合に、前記設定情報の制限違反を警告する制限違反監視手段をさらに有する
ことを特徴とするＩＰ電話システム。
【請求項３】
請求項１または２に記載のＩＰ電話システムであって、
前記設定情報受付手段は、
複数の前記ＩＰ電話機の前記設定情報を前記ＩＰ電話機毎に受け付け、
前記ＩＰ電話設定装置は、
前記設定情報受付手段によって前記操作者から受け付けた前記ＩＰ電話機に対する前記設定情報が、当該ＩＰ電話機と同じＩＰ電話サービスを利用する他の前記ＩＰ電話機に対する前記設定情報と重複していないか否かを判断し、重複している場合に、前記設定情報の重複設定を警告する重複設定監視手段をさらに有する
ことを特徴とするＩＰ電話システム。
【請求項４】
請求項１ないし３のいずれか１項に記載のＩＰ電話システムであって、
前記ＩＰ電話機は、
自ＩＰ電話機に設定されている前記設定情報を記憶する設定情報記憶手段と、
前記設定情報記憶手段に記憶されている前記設定情報を前記ＩＰ電話設定装置に送信する設定情報送信手段と、をさらに有し、
前記ＩＰ電話設定装置は、
前記ＩＰ電話機から前記設定情報を取得する設定情報取得手段をさらに有し、
前記設定情報受付手段は、
前記設定情報取得手段によって前記ＩＰ電話機から取得した前記設定情報を、前記制限情報取得手段によって当該ＩＰ電話機から取得した前記制限情報とともに表示して、操作者より当該ＩＰ電話機に対する更新された前記設定情報を受け付ける
ことを特徴とするＩＰ電話システム。
【請求項５】
ＩＰ電話機の設定を行うＩＰ電話設定装置であって、
前記ＩＰ電話機から当該ＩＰ電話機が利用するＩＰ電話サービスの制限情報を取得する制限情報取得手段と、
前記制限情報取得手段によって前記ＩＰ電話機から取得した前記制限情報を表示して、操作者より当該ＩＰ電話機に対する設定情報を受け付ける設定情報受付手段と、
前記設定情報受付手段によって前記操作者から受け付けた前記ＩＰ電話機に対する前記設定情報を、当該ＩＰ電話機に送信して、当該ＩＰ電話機を設定する設定情報送信手段と、を備える
ことを特徴とするＩＰ電話設定装置。
【請求項６】
コンピュータで読み取り可能なプログラムであって、
前記プログラムは、前記コンピュータを、ＩＰ電話機の設定を行うＩＰ電話設定装置として機能させ、
前記ＩＰ電話設定装置は、
前記ＩＰ電話機から当該ＩＰ電話機が利用するＩＰ電話サービスの制限情報を取得する制限情報取得手段と、
前記制限情報取得手段によって前記ＩＰ電話機から取得した前記制限情報を表示して、操作者より当該ＩＰ電話機に対する設定情報を受け付ける設定情報受付手段と、
前記設定情報受付手段によって前記操作者から受け付けた前記ＩＰ電話機に対する前記設定情報を、当該ＩＰ電話機に送信して、当該ＩＰ電話機を設定する設定情報送信手段と、を備える
ことを特徴とするコンピュータで読み取り可能なプログラム。
【請求項７】
ＩＰ電話設定装置によりＩＰ電話機を設定するＩＰ電話機の設定方法であって、
前記ＩＰ電話機は、
自ＩＰ電話機に記憶されている、自ＩＰ電話機が利用するＩＰ電話サービスの制限情報を、前記ＩＰ電話設定装置に送信し、
前記ＩＰ電話設定装置より受信した設定情報に従って自ＩＰ電話機の設定処理を行い、
前記ＩＰ電話設定装置は、
前記ＩＰ電話機から前記制限情報を取得し、
前記ＩＰ電話機から取得した前記制限情報を表示して、操作者より当該ＩＰ電話機に対する前記設定情報を受け付け、
前記操作者から受け付けた前記ＩＰ電話機に対する前記設定情報を、当該ＩＰ電話機に送信する
ことを特徴とするＩＰ電話機の設定方法。